(57)【特許請求の範囲】
【請求項１】
直方体状のパレットの上面に形成され、多数のコンテナを並べて積載可能としたデッキ面と、
前記パレットの周縁部に設けられ、前記デッキ面上に載置されるコンテナを前記パレットに緊縛するバンドを掛装するための係止部とを備えたパレットにおいて、
前記係止部は、
前記パレットの側面に一体に形成され、前記デッキ面から上方に突出する上方係止部と、
前記上方係止部から下方に延設される下方係止部と、
前記パレットの側面に、前記下方係止部に対向して上下方向に設けられる溝部と、
前記溝部に連通し、前記上方係止部の背面側において前記デッキ面に開口する挿通孔とを備え、
前記下方係止部には、該下方係止部の剛性を高くする補強部を備え、
前記補強部は、
前記下方係止部の背面側に形成され、下方に向かって前記溝部に近づく斜面と、
前記斜面の前面に形成されて、前記パレットの側面と面一となる位置まで延設される補強リブとを備えたことを特徴とするパレット。
【請求項２】
請求項１に記載のパレットにおいて、
前記上方係止部及び下方係止部を、前記デッキ面の周縁部で前記コンテナを保持する保持枠の中間部に、該保持枠と一体に設けたことを特徴とするパレット。
【請求項３】
請求項２に記載のパレットにおいて、
前記保持枠で該デッキ面上に保持されるコンテナの側面と前記上方係止部との間に、前記バンドを前記挿通孔に挿通可能とした挿通溝を設けたことを特徴とするパレット。
【請求項４】
請求項１乃至３のいずれか１項に記載のパレットにおいて、
前記上方係止部の上縁には、前記挿通孔の開口位置の上方に切欠き部を設けたことを特徴とするパレット。
【発明の詳細な説明】
【技術分野】
【０００１】
本発明は、物品の運搬あるいは保管に使用されるパレットに関するものである。
【背景技術】
【０００２】
物流システムで使用されるパレットは、合成樹脂で高さの低い直方体状に形成され、側面にフォークリフト等のフォークを挿入可能としたフォーク差し込み孔が開口されている。
【０００３】
使用時には、パレットの上面であるデッキ面に多数のコンテナが複数層に亘って積載され、その状態でコンテナがパレットとともにフォークリフト等で運搬され、貨物トラックや貨物船に積載されて目的地まで輸送される。
【０００４】
輸送時には、コンテナの荷崩れを防止するために、積層されたコンテナにバンドを掛け渡し、そのバンドの両端をパレットに設けられた係止部に掛けてコンテナをパレット上に保持するようにしている。
【０００５】
特許文献１には、桁壁にロープを掛けるフック部を備えたパレットが開示されている。
特許文献２には、ストレッチフィルム等の補助梱包資材を係止するための係止部を備えたパレットが開示されている。
【先行技術文献】
【特許文献】
【０００６】
【特許文献１】特許第４５７２８９９号公報
【特許文献２】特開２００７−２６１６７３号公報
【発明の概要】
【発明が解決しようとする課題】
【０００７】
特許文献１に開示されたパレットでは、フック部の機械的強度が十分ではないため、係止部に大きな荷重が作用すると、フック部が破損してロープが外れてしまうことがある。
特許文献２に開示されたパレットでは、係止部は補助梱包資材を係止するための強度が確保されているにすぎず、コンテナの荷崩れを防止するロープを保持することはできない。
【０００８】
この発明はこのような事情に鑑みてなされたものであり、その目的はコンテナの荷崩れを阻止するバンドを安定して係止可能としたパレットを提供することにある。
【課題を解決するための手段】
【０００９】
上記課題を解決するパレットは、直方体状のパレットの上面に形成され、多数のコンテナを並べて積載可能としたデッキ面と、前記パレットの周縁部に設けられ、前記デッキ面上に載置されるコンテナを前記パレットに緊縛するバンドを掛装するための係止部とを備えたパレットにおいて、前記係止部は、前記パレットの側面に一体に形成され、前記デッキ面から上方に突出する上方係止部と、前記上方係止部から下方に延設される下方係止部と、前記パレットの側面に、前記下方係止部に対向して上下方向に設けられる溝部と、前記溝部に連通し、前記上方係止部の背面側において前記デッキ面に開口する挿通孔を備えたことを特徴とする。
【００１０】
この構成により、挿通孔から溝部にベルトを挿通すると、上方係止部及び下方係止部に掛装されるベルトでデッキ面上のコンテナを緊縛可能となる。
また、上記のパレットにおいて、前記下方係止部には、該下方係止部の剛性を高くする補強部を備えることが好ましい。
【００１１】
この構成により、コンテナの緊縛時に、バンドから緊縛力が作用する下方係止部が補強される。
また、上記のパレットにおいて、前記補強部は、前記下方係止部の背面側に形成され、下方に向かって前記溝部に近づく斜面と、前記斜面の前面に形成されて、前記パレットの側面と面一となる位置まで延設される補強リブを備えることが好ましい。
【００１２】
この構成により、下方係止部が補強リブで補強される。
また、上記のパレットにおいて、前記上方係止部及び下方係止部を、前記デッキ面の周縁部で前記コンテナを保持する保持枠の中間部に、該保持枠と一体に設けることが好ましい。
【００１３】
この構成により、係止部の両側が保持枠で支持される。
また、上記のパレットにおいて、前記保持枠で該デッキ面上に保持されるコンテナの側面と前記上方係止部との間に、前記バンドを前記挿通孔に挿通可能とした挿通溝を設けることが好ましい。
【００１４】
この構成により、コンテナの側面と上方係止部との間の挿通溝から挿通孔内にバンドを挿通可能となる。
また、上記のパレットにおいて、前記上方係止部の上縁には、前記挿通孔の開口位置の上方に切欠き部を設けることが好ましい。
【００１５】
この構成により、切欠き部により保持枠に連なる係止部の位置を確認可能となる。
【発明の効果】
【００１６】
本発明のパレットによれば、コンテナの荷崩れを阻止するバンドを安定して係止することができる。
【図面の簡単な説明】
【００１７】
【図１】一実施形態のパレットを示す斜視図である。
【図２】コンテナを載置したパレットを示す斜視図である。
【図３】係止部を示す斜視図である。
【図４】係止部を示す斜視図である。
【図５】係止部を示す破断斜視図である。
【図６】係止部を示す破断斜視図である。
【図７】係止部を示す平面図である。
【図８】係止部を示す断面図である。
【図９】係止部を示す斜視図である。
【図１０】係止部へのバンドの挿通手順を示す斜視図である。
【図１１】係止部へのバンドの挿通手順を示す斜視図である。
【図１２】係止部に掛装するバンドの別例を示す斜視図である。
【図１３】係止部の別例を示す斜視図である。
【発明を実施するための形態】
【００１８】
以下、パレットの一実施形態を図面に従って説明する。
図１に示すパレット１は、合成樹脂で略正方形状あるいは長方形状の直方体状に形成されている。詳しくは、厚さ方向すなわち図１において上下方向に２分割して成形された上部パレット材２と下部パレット材３が熱溶着されてパレット１が形成される。
【００１９】
パレット１の各側面において、当該側面の長手方向両端部近傍にフォークリフトのフォークを挿通可能としたフォーク挿通孔４ａ，４ｂがそれぞれ開口されている。また、コンテナを載置するパレット１の上面（以下デッキ面２ａという）及び下面にはパレット１の軽量化を図り、かつパレット１内に侵入した水を抜くための多数の透孔５が形成されている。
【００２０】
図２に示すように、パレット１のデッキ面２ａには多数のコンテナ６が複数層に亘って載置されている。この実施形態では、各コンテナ６が上方を開口した四角箱状に形成されている。そして、デッキ面２ａのＡ方向に３個、Ｂ方向に４個並べられるコンテナ６を一層として載置可能であり、４層に亘って計４８個のコンテナ６が積層されている。
【００２１】
デッキ面２ａの周縁部には、最下層のコンテナ６をデッキ面２ａ上に位置決めして保持する保持枠７ａ〜７ｃ，８ａ，８ｂが一体に成形されている。
保持枠７ａ〜７ｃは、デッキ面２ａのＡ方向両側の端縁に設けられ、当該端縁の長手方向両側に保持枠７ａ，７ｃが垂立され、長手方向中央部に保持枠７ｂが垂立されている。
【００２２】
保持枠７ａ，７ｃは保持枠７ｂより長く形成されている。そして、Ａ方向両側の端縁に沿って並べられる４個のコンテナ６のうち、両側に位置するコンテナ６とその内側に位置するコンテナ６が保持枠７ａ，７ｃで保持され、４個のコンテナ６のうち、内側に位置する２個のコンテナ６の突合せ部分が保持枠７ｂで保持されている。
【００２３】
保持枠８ａ，８ｂは、デッキ面２ａのＢ方向両側の端縁に設けられ、当該端縁の長手方向両側にそれぞれ垂立されている。そして、Ｂ方向両側の端縁に沿って並べられる３個のコンテナ６の突合せ部分及び両外側に位置するコンテナ６が保持枠８ａ，８ｂで保持される。
【００２４】
図２及び図３に示すように、パレット１のＡ方向両端部近傍において、保持枠８ａ，８ｂにはデッキ面２ａ上に積層されたコンテナ６をバンド９で緊締するための係止部１０が形成されている。
【００２５】
詳述すると、図３〜図７に示すように、係止部１０としてパレット１の側面には上下方向に溝部１１が形成され、その溝部１１はデッキ面２ａまで延設されて、保持枠８ａ，８ｂの内側においてデッキ面２ａ上に開口する挿通孔１２に連通している。
【００２６】
保持枠８ａ，８ｂの上縁には、挿通孔１２の開口位置に切欠き部１３が形成され、保持枠８ａ，８ｂの内側に位置する挿通孔１２の開口位置を確認可能となっている。
挿通孔１２の前方に位置する保持枠８ａ，８ｂは、係止部１０としてデッキ面２ａより上方に位置する上方係止部１４と、デッキ面２ａより下方に延設される下方係止部１５とを備えている。そして、上方係止部１４の背面はその両側の保持枠８ａ，８ｂの背面より段差を介して凹む凹面１６であり、下方係止部１５の背面には上方係止部１４の背面に連なって斜め後方に延びる斜面１７が形成されている。
【００２７】
従って、図８に示すように、デッキ面２ａ上でコンテナ６が保持枠８ａ，８ｂの背面に保持されるとき、コンテナ６の側面と上方係止部１４の凹面１６との間には、バンド９を挿通可能とした隙間ｔを確保した挿通溝１８が形成される。
【００２８】
上方係止部１４及び下方係止部１５の前面側にはその端面が保持枠８ａ，８ｂの補強リブ１９と面一となる格子状の補強リブ２０が形成されている。そして、下方係止部１５の背面が斜面１７であることから、補強リブ２０の深さが下方に向かって徐々に深くなるように形成されている。従って、下方係止部１５の剛性が下方に向かって高くなるように形成されている。
【００２９】
このような構成により、係止部１０の上方係止部１４及び下方係止部１５は、その両側に保持枠８ａ，８ｂが一体に形成される位置、すなわち保持枠８ａ，８ｂの中間部に形成される。そして、係止部１０はフォーク挿通孔４ｂとパレット１の端部との間に位置し、係止部１０にバンド９を掛装したときに、フォーク挿通孔４ｂに挿通されるフォークとバンド９が干渉しないようになっている。
【００３０】
図９に示すように、デッキ面２ａのＡ方向両側の端縁に設けられる保持枠７ａ〜７ｃのうち中央に位置する保持枠７ｂには、保持枠８ａ，８ｂに形成された係止部１０と同様な構成の係止部２１が形成されている。
【００３１】
次に、上記のような係止部１０，２１を備えたパレット１の作用を説明する。
図２に示すように、パレット１上にコンテナ６が積層された状態で、バンド９を使用してコンテナ６をパレット１に緊縛する場合には、パレット１のＡ方向両端部において、コンテナ６の上部に矢印Ｂ方向に掛け渡されたバンド９の両端部をパレット１の両側の係止部１０にそれぞれ掛装する。
【００３２】
このとき、図１０に示すように、バンド９の端部を上方係止部１４とコンテナ６との間の挿通溝１８に挿通する。
そして、図１１に示すように、バンド９を下方係止部１５の下方から上方へ引出し、バンド９の両端部を公知のバンド結束機等を使用して互いに固定する。このようにして、パレット１のＡ方向両側において、係止部１０に掛装したバンド９の両端部を結束すると、コンテナ６がパレット１上に緊縛される。また、Ａ方向両側の保持枠７ｂにバンドを掛装して、上記バンド９に直交するバンドでコンテナ６をさらに緊縛すると、コンテナ６がパレット１上にさらに安定して保持される。
【００３３】
上記のようなパレット１では、次に示す効果を得ることができる。
（１）係止部１０に掛装されるバンド９でコンテナ６をパレット１に緊縛することができる。
（２）バンド９が掛装される上方係止部１４及び下方係止部１５が保持枠８ａ，８ｂの中間部で保持枠８ａ，８ｂと一体に形成される。従って、上方係止部１４及び下方係止部１５の剛性を確保することができる。
（３）バンド９によるコンテナ６の緊縛時に、緊縛力の反作用力が最も作用する下方係止部１５の剛性が補強リブ２０により十分に確保されているので、係止部１０の破損を未然に防止することができる。
（４）パレット１上にコンテナ６を載置した後にも、保持枠８ａ，８ｂとコンテナ６の側面との間に開口される挿通溝１８にバンド９を挿通して、バンド９を係止部１０に容易に掛装することができる。
（５）切欠き部１３により、保持枠８ａ，８ｂに連なる係止部１０の挿通溝１８の位置を容易に認識することができる。
【００３４】
なお、上記実施形態は以下のように変更してもよい。
・図１２に示すように、バンド９の端部にフック２２を取着し、係止部１０あるいは係止部２１にフック２２を引っ掛けるようにしてもよい。
・図９に示す係止部２１は、上方係止部１４に連なる保持枠７ｂが上方係止部１４の補強部として機能するが、図１３に示すように、保持枠に連続しない上方係止部１４を設けてもよい。
・下方係止部１５は、補強リブ２０を設けることなく、下方に向かって肉厚とする形状として、剛性を確保するようにしてもよい。
【符号の説明】
【００３５】
１…パレット、２ａ…デッキ面、６…コンテナ、７ａ〜７ｃ，８ａ，８ｂ…保持枠９…バンド、１０，２１…係止部、１１…溝部、１２…挿通孔、１３…切欠き部、１４…上方係止部、１５…下方係止部、１７…斜面、１８…挿通溝、２０…補強リブ。
【図１】
0006594657.tif 000002
【図２】
0006594657.tif 000003
【図３】
0006594657.tif 000004
【図４】
0006594657.tif 000005
【図５】
0006594657.tif 000006
【図６】
0006594657.tif 000007
【図７】
0006594657.tif 000008
【図８】
0006594657.tif 000009
【図９】
0006594657.tif 000010
【図１０】
0006594657.tif 000011
【図１１】
0006594657.tif 000012
【図１２】
0006594657.tif 000013
【図１３】
0006594657.tif 000014